(57)【特許請求の範囲】
【請求項１】
商品陳列棚の支持支柱などの固定部材に着脱可能に取付けられる商品のカテゴリー等を表示するカテゴリーポップ表示ホルダーであって、
カテゴリーポップ表示板と、
先端部から順に、前記カテゴリーポップ表示板を支持する支持ケースと、樹脂製の薄肉連接部と、連接棒本体部と、前記固定部材に取付けられる取付け部とから構成される一対の上部および下部連接棒と、を有するものであり、
前記カテゴリーポップ表示板は、平板状であって、カテゴリーポップ表示本体部と、上方突出部と、下方突出部から成り、前記カテゴリーポップ表示本体部の幅寸法を支持ケースの挿入口の幅寸法よりやや大きくし、上方突出部または下方突出部の丸み部の直径を支持ケースの挿入口の長さ寸法よりやや小さくすることで係合段差部を形成し、
前記下部連接棒の先端部に形成される支持ケースの前記表示板挿入口縁部に前記カテゴリーポップ表示板本体部に形成される係合段差部を載置し、前記上部連接棒の先端部に形成される支持ケースに前記カテゴリーポップ表示板の上方突出部を遊嵌させてカテゴリーポップ表示板を支持することを特徴とするカテゴリーポップ表示ホルダー。
【発明の詳細な説明】
【０００１】
【発明の属する技術分野】
本発明は、板状物に商品のカテゴリー等を表示して掲示するカテゴリーポップ表示ホルダーに関するものである。
【０００２】
【従来の技術】
従来、ホームセンターやスーパ ーマーケットにおいて、板状物に商品のカテゴリー等の情報を表示し、掲示して顧客への商品の案内および広告を行うカテゴリーポップ表示具としては、商品陳列棚の上方空間等の適宜の位置に表示板を横長に設置して掲示する方法、商品陳列棚の支持支柱などの固定部材に表示板を縦長に設置して掲示する方法等が挙げられる。
【０００３】
しかしながら、近年のＰＯＰ（広告表示）展開においては単なる広告表示機能や商品表示機能に止まらず、意匠性などの外観および全体との調和等に注意が払われているために、従来のカテゴリーポップ表示具では、意匠性が劣り、見劣りがする。また、商品陳列棚の上方空間等の適宜の位置に横長に設置して掲示する方法は、顧客の注意を惹き難いと共に、設置場所によっては表示板の取付けが面倒である。また、商品陳列棚の支持支柱などの固定部材に表示板を縦長に設置して掲示する方法は、商品陳列棚前方の通路側に突出させて取付ける場合、顧客の注意を惹く点ではそれなりの効果を有するものの、通路を歩く顧客の肩や手が触れると破損したり、顧客の手などを傷つけたりすることがある。また、取付け方法次第では、表示板の交換作業が面倒であった。このことは、商品の入れ替えや店内の模様替えの激しい昨今においては、特に問題であった。従って、意匠性に優れ、顧客の注意を惹き、且つ表示板の取付け、交換が容易で安全性に優れるカテゴリーポップ表示ホルダーが望まれていた。
【０００４】
【発明が解決しようとする課題】
従って、本発明の目的は、意匠性に優れ、顧客の注意を惹き、且つ表示板の取付け、交換が容易で安全性に優れるカテゴリーポップ表示ホルダーを提供することにある。
【０００５】
【課題を解決するための手段】
かかる実情において、本発明者は鋭意検討を行った結果、本発明を完成するに至った。すなわち、請求項１記載の発明は、商品陳列棚の支持支柱などの固定部材に着脱可能に取付けられる商品のカテゴリー等を表示するカテゴリーポップ表示ホルダーであって、カテゴリーポップ表示板と、先端部から順に、前記カテゴリーポップ表示板を支持する支持ケースと、樹脂製の薄肉連接部と、連接棒本体部と、前記固定部材に取付けられる取付け部とから構成される一対の上部および下部連接棒と、を有するものであり、前記カテゴリーポップ表示板は、平板状であって、カテゴリーポップ表示本体部と、上方突出部と、下方突出部から成り、前記カテゴリーポップ表示本体部の幅寸法を支持ケースの挿入口の幅寸法よりやや大きくし、上方突出部または下方突出部の丸み部の直径を支持ケースの挿入口の長さ寸法よりやや小さくすることで係合段差部を形成し、前記下部連接棒の先端部に形成される支持ケースの前記表示板挿入口縁部に前記カテゴリーポップ表示板本体部に形成される係合段差部を載置し、前記上部連接棒の先端部に形成される支持ケースに前記カテゴリーポップ表示板の上方突出部を遊嵌させてカテゴリーポップ表示板を支持することを特徴とするカテゴリーポップ表示ホルダーを提供するものである。従って、先ず、下部連接棒が商品陳列棚等の固定部材に取付けられる。次に、カテゴリーポップ表示板の下方突出部を前記下部連接棒の支持ケースに嵌める。更にカテゴリーポップ表示板の上方突出部に上部連接棒の支持ケースを嵌めて前記表示板が垂直姿勢を採る位置で上部連接棒を固定部材に固定する。これによりカテゴリーポップ表示ホルダーを固定部材に簡単に取付けることができる。また、顧客の肩や手が表示板に触れても表示板は左右に揺動自在に振れるため、該カテゴリーポップ表示ホルダーが破損することはなく、顧客を手などを傷つけることもない。また、カテゴリーポップ表示板を交換する場合、固定部材から上部連接棒を取り外すか、または固定を緩めるだけで容易に交換ができる。また、当該カテゴリーポップ表示ホルダーの取付けおよびカテゴリーポップ表示板の交換作業が極めて容易である。また、一対の上部および下部連接棒で、固定部材への着脱可能な取付け機構と、揺動機構と、表示板への着脱可能機構を付与することができる。また、当該前記カテゴリーポップ表示ホルダーは、意匠性に優れると共に、顧客の注意を惹くことができると共に、カテゴリーポップ表示板の交換作業が容易である。
【０００９】
【発明の実施の形態】
本発明の実施の形態におけるカテゴリーポップ表示ホルダーを図１〜図５を参照して説明する。図１はカテゴリーポップ表示ホルダーの使用状態の斜視図、図２は下部連接棒の正面図、図３は上部連接棒の正面図、図４は図２の平面図、図５は固定部材への取付け方法を説明する図をそれぞれ示す。
【００１０】
図中、カテゴリーポップ表示ホルダー１０は、商品陳列棚５の支持支柱６に着脱可能に取付けられる上下一対の連接棒２ａ、２ｂと、連接棒２ａ、２ｂに着脱可能に取付けられる縦長状のカテゴリーポップ表示板１とから成る。連接棒２ａと連接棒２ｂとは、図２および図３から明らかなように、同一である。従って、連接棒の構造については連接棒２ａについてのみ説明する。図２中、連接棒２ａは先端部から順に、カテゴリーポップ表示板１を支持する支持ケース２１ａと、樹脂製の薄肉連接部２２ａと、連接棒本体２７ａと、固定部材６に取付けられる取付け部４ａとから成る。支持ケース２１ａは樹脂製でカテゴリーポップ表示板１が遊嵌する空間部２５ａ（以下、挿入口ともいう）を形成する略長方形状のケースである。
【００１１】
薄肉連接部２２ａは矩形状の樹脂製ヒンジであり、一端は支持ケース２１ａに連接されると共に、他端は連接棒丸棒本体２７ａと嵌合する連接部材２３ａと連接する。連接棒本体２７ａはパイプ状であり、その長さは商品陳列棚５の奥行き長さと略同一である。連接棒本体２７ａの一端は連接部材２３ａに嵌合し、他端は袋ナット２４ａが螺合するネジ部２７１ａが形成されている。取付け部４ａは支持支柱６の係合スリット６１に係合する係合爪４１ａと袋ナット２４ａから成り、係合爪４１ａは連接棒本体２７ａに嵌合する嵌合部材２８１ａに連接されている。
【００１２】
カテゴリーポップ表示板１はカテゴリーポップ表示本体部１１と、上方突出部１２と、下方突出部１３から成る。カテゴリーポップ表示本体部１１は樹脂製で矩形状薄板であり、商品のカテゴリー等の文字、記号等の情報が記載されている。上方突出部１２および下方突出部１３は支持ケースの挿入口２５ａ、２５ｂにそれぞれ挿入容易な丸み形状であり、上方突出部１２または下方突出部１３とカテゴリーポップ表示本体部１１は、両端に係合段差部１１１ａ、１１１ｂを形成するように連接される。すなわち、カテゴリーポップ表示本体部１１の幅寸法は支持ケース２１ａ、２１ｂの挿入口２５ａ、２５ｂの幅寸法よりやや大きく、上方突出部１２または下方突出部１３の丸み部の直径は支持ケース２１ａ、２１ｂの挿入口２５ａ、２５ｂの長さ寸法よりやや小さい。
【００１３】
次に、上部連接棒２ａまたは下部連接棒２ａを商品陳列棚５の支持支柱６に取付ける方法について図５を参照して説明する。図中、（Ａ）から（Ｄ）はその順で取付けられることを示す。先ず、支持支柱６の係合スリット６１に係合爪４１ａの上突起４１１を挿入し（Ａ）、次いで下突起４１２を挿入する（Ｂ）、（Ｃ）。次いで袋ナット２４ａを閉め付け袋ナット２４ａの先端面が支持支柱６の面に当接するまで回す。また、上部連接棒２ａまたは下部連接棒２ａを商品陳列棚５の支持支柱６から取り外す場合は、これと逆操作、すなわち図中、（Ｄ）から（Ａ）の順で行えばよい。
【００１４】
次に、カテゴリーポップ表示ホルダー１０を商品陳列棚５の支持支柱６に取付ける方法について説明する。先ず、下部連接棒２ａを支持支柱６の係合スリット６１に取付ける。次にカテゴリーポップ表示板１の下方突出部１３を下部連接棒２ｂの挿入口２５ｂに嵌め込む。次いで、カテゴリーポップ表示板１の上方突出部１２に上部連接棒２ａの支持ケース２１ａを嵌めて前記表示板１が垂直姿勢を採る位置で上部連接棒２ａを商品陳列棚５の支持支柱６に固定する。
【００１５】
本発明のカテゴリーポップ表示ホルダーにおいて使用するカテゴリーポップ表示本体部の形状としては、上記実施の形態における矩形状薄板に限定されず、例えば、なだらかな曲線状、長楕円状等の所望の形状のものが使用できる。
【００１６】
【発明の効果】
請求項１記載の発明によれば、下部連接棒が商品陳列棚等の固定部材に取付けられる。次に、カテゴリーポップ表示板の下方突出部を前記下部連接棒の支持ケースに嵌める。更にカテゴリーポップ表示板の上方突出部に上部連接棒の支持ケースを嵌めて前記表示板が垂直姿勢を採る位置で上部連接棒を固定部材に固定する。これによりカテゴリーポップ表示ホルダーを固定部材に簡単に取付けることができる。また、顧客の肩や手が表示板に触れても表示板は左右に揺動自在に振れるため、該カテゴリーポップ表示ホルダーが破損することはなく、顧客を傷つけることもない。また、カテゴリーポップ表示板を交換する場合、固定部材から上部連接棒を取り外すだけで容易に交換ができる。また、当該カテゴリーポップ表示ホルダーの取付けおよび組立てが極めて容易である。また、一対の連接棒で、固定部材への着脱可能な取付けと、揺動機構と、表示板への着脱可能機構を付与することができる。また、意匠性に優れると共に、顧客の注意を惹くことができる。
【００１７】
請求項２記載の発明によれば、前記発明と同様の効果を奏する他、当該カテゴリーポップ表示ホルダーの取付けおよび組立てが極めて容易である。
【００１８】
請求項３記載の発明によれば、前記発明と同様の効果を奏する他、一対の連接棒で、固定部材への着脱可能な取付けと、揺動機構と、表示板への着脱可能機構を付与することができる。
【００１９】
請求項４記載の発明によれば、前記発明と同様の効果を奏する他、意匠性に優れると共に、顧客の注意を惹くことができる。
【図面の簡単な説明】
【図１】本発明の実施の形態におけるカテゴリーポップ表示ホルダーの使用状態の斜視図である。
【図２】下部連接棒の正面図を示す。
【図３】上部連接棒の正面図を示す。
【図４】図２の平面図を示す。
【図５】固定部材への取付け方法を説明する図を示す。
【符号の説明】
１    カテゴリーポップ表示板
２ａ  上部連接棒
２ｂ  下部連接棒
４    取付け部
４１ａ、４１ｂ    係合爪
５    商品陳列棚
６    支持支柱
１０    カテゴリーポップ表示ホルダー
１１ａ、１１ｂ        カテゴリーポップ表示本体部
１２    上方突出部
１３    下方突出部
２１ａ、２１ｂ    支持ケース
２２ａ、２２ｂ    薄肉ヒンジ部
２３ａ、２３ｂ    中間連結部材
２４ａ、２４ｂ    袋ナット
２５ａ、２５ｂ    カテゴリーポップ表示板挿入口（空間部）
２７ａ、２７ｂ    連接棒本体部
６１    係合スリット
１１１ａ、１１１ｂ    係合段差
【図１】
0004266048.tif 000002
【図２】
0004266048.tif 000003
【図３】
0004266048.tif 000004
【図４】
0004266048.tif 000005
【図５】
0004266048.tif 000006